(57)【要約】【課題】  表示装置において、利便性を向上させる。【解決手段】  画像が形成される表示パネル１０、表示パネル１０を支持する支持部２０、表示パネル１０を背面側から照明するバックライト２１、および表示パネル１０に画像が形成されるように表示パネル１０を電気的に制御する表示制御部３０とを備えた表示装置１００において、表示パネル１０を、この表示パネル１０に画像Ｇ１が形成されたままの状態で表示制御部３０から分離可能、かつ支持部２０から取り外し可能とし、さらに、表示パネル１０が支持部２０から取り外されていないときは表示パネル１０がバックライト２１で透過照明されることにより画像Ｇ１を視認可能とし、表示パネル１０が支持部２０から取り外されているときには表示パネル１０が反射照明されることにより画像Ｇ１を視認可能とする。【選択図】          図１
2005115053.tif 000002
【特許請求の範囲】
【請求項１】
画像が形成される表示パネルと、該表示パネルに画像が形成されるように該表示パネルを電気的に制御する表示制御部とを備えた表示装置であって、
前記表示パネルが、該表示パネルに画像が形成されたままの状態で前記表示制御部から分離可能なものであることを特徴とする表示装置。
【請求項２】
画像が形成される表示パネルと、前記表示パネルを支持する支持部と、該支持部に支持された前記表示パネルを背面側から照明するバックライトと、前記表示パネルに画像が形成されるように該表示パネルを電気的に制御する表示制御部とを備えた表示装置であって、
前記表示パネルが、該表示パネルに画像が形成されたままの状態で前記表示制御部から分離可能、かつ前記支持部から取り外し可能であり、前記表示パネルが前記支持部から取り外されているときは該表示パネルが反射照明されることにより前記画像が視認可能であり、前記表示パネルが前記支持部に支持されているときには該表示パネルが前記バックライトで透過照明されることにより前記画像が視認可能であることを特徴とする表示装置。
【請求項３】
前記表示パネルが、前記画像が形成される表示層と、該表示層の表裏両面に配置された前記画像を形成するための透明電極とを有し、前記透明電極のうちの少なくとも一方が前記表示層から分離可能であることを特徴とする請求項１または２記載の表示装置。
【請求項４】
前記表示パネルが、前記画像が形成される表示層と、該表示層の前記バックライト側に配置された半透明白色層とを有するものあることを特徴とする請求項２記載の表示装置。
【発明の詳細な説明】
【技術分野】
【０００１】
本発明は表示装置に関し、詳しくは、電気的な制御により画像が形成される表示装置に関するものである。
【背景技術】
【０００２】
従来より、対向する２枚の透明平板の間に収容された液晶を通る光の偏光方向を電気的な制御により変化させて画像を形成する液晶表示装置が知られている。このような液晶表示装置としては、画像が形成される表示パネルと、この表示パネルを背面から照明するバックライトと、上記液晶を通る光の偏光方向を電気的に制御する表示制御部とを備え、コンピュータの表示画面用等に使用されるものが知られている（特許文献１参照）。
【特許文献１】特開平１１−２９５６９１号公報
【発明の開示】
【発明が解決しようとする課題】
【０００３】
ところで、上記のような表示装置を薄型化および軽量化して、例えば、文字情報や画像情報を静止画で示す携帯性に優れたリライタブルペーパ（特許文献２参照）のように使用することをも可能にすると便利である。しかしながら、液晶表示装置は、表示パネル、バックライト、および表示制御部等で構成されているため、装置全体を薄型化および軽量化して上記リライタブルペーパのようなハンドリング性を有するものとすることは難しい。
【０００４】
本発明は、上記事情に鑑みてなされたものであり、利便性を向上させることができる表示装置を提供することを目的とするものである。
【特許文献２】特開２００２−１６６６５９号公報
【課題を解決するための手段】
【０００５】
本発明の表示装置は、画像が形成される表示パネルと、この表示パネルに画像が形成されるように該表示パネルを電気的に制御する表示制御部とを備えた表示装置であって、表示パネルが、この表示パネルに画像が形成されたままの状態で表示制御部から分離可能なものであることを特徴とするものである。
【０００６】
本発明の他の表示装置は、画像が形成される表示パネルと、この表示パネルを支持する支持部と、この支持部に支持された前記表示パネルを背面側から照明するバックライトと、表示パネルに画像が形成されるようにこの表示パネルを電気的に制御する表示制御部とを備えた表示装置であって、前記表示パネルが、この表示パネルに画像が形成されたままの状態で表示制御部から分離可能、かつ支持部から取り外し可能であり、表示パネルが支持部から取り外されているときはこの表示パネルが反射照明されることにより前記画像が視認可能であり、表示パネルが支持部に支持されているときにはこの表示パネルがバックライトで透過照明されることにより前記画像が視認可能であることを特徴とするものである。
【０００７】
なお、「表示パネルが、表示制御部から分離可能」とは、表示パネルを表示制御部から電気的に分離することが可能であることを意味する。
【０００８】
前記表示パネルは、画像が形成される表示層と、この表示層の表裏両面に配置された前記画像を形成するための透明電極とを有し、透明電極のうちの少なくとも一方が表示層から分離可能とすることができる。
【０００９】
前記表示パネルは、画像が形成される表示層と、この表示層のバックライト側に配置された半透明白色層とを有するものとすることができる。
【００１０】
前記表示パネルを背面側から照明するとは、表示パネルに形成された画像を観察する側とは反対側からこの表示パネルを照明することを意味する。
【発明の効果】
【００１１】
本発明の表示装置によれば、表示パネルを、この表示パネルに画像が形成されたままの状態で表示制御部から分離可能なものとしたので、表示パネル単独での利用が可能となり、この単独の表示パネルは薄型化および軽量化することが容易なのでハンドリング性を高めることができ、表示装置全体としての利便性を向上させることができる。
【００１２】
本発明の他の表示装置によれば、表示パネルを、この表示パネルに画像が形成されたままの状態で表示制御部から分離可能、かつ支持部から取り外し可能なものとし、表示パネルが支持部から取り外されているときはこの表示パネルが反射照明されることにより前記画像が視認可能であり、表示パネルが支持部に支持されているときにはこの表示パネルがバックライトで透過照明されることにより前記画像が視認可能であるものとしたので、表示パネル単独での透過照明あるいは反射照明による利用が可能となり、この単独の表示パネルは薄型化および軽量化することが容易なのでハンドリング性を高めることができ、表示装置全体としての利便性を向上させることができる。なお、表示パネル単独での反射照明による利用に際しては、例えば、表示パネルの背面に白紙等の散乱反射体を配置することで視認性を高めることができる。
【００１３】
また、表示パネルが、画像が形成される表示層と、この表示層の表裏両面に配置された画像を形成するための透明電極とを有し、表示層の表裏両面に配置された透明電極のうちの少なくとも一方を表示層から分離可能とすれば、表示パネルが表示制御部から分離されているときに、さらに、表示パネルから上記透明電極を分離することができ、より厚さが薄く軽量な表示層単独での利用が可能となるので、表示装置全体としての利便性をさらに向上させることができる。
【００１４】
また、表示パネルを、画像が形成される表示層と、この表示層のバックライト側に配置された半透明白色層とを有するものとすれば、表示パネル単独での反射照明による利用に際し、半透明白色層による照明光の反射によりパネルに表示された画像の視認性を高めることができ、例えば、別途用意した白紙等の散乱反射体を表示パネルの背面へ配置して表示パネルに表示された画像の視認性を高める作業等を省略することができるので、表示装置全体としての利便性をさらに向上させることができる。
【発明を実施するための最良の形態】
【００１５】
以下、本発明の実施の形態について、図面を用いて説明する。図１は本発明の実施の形態の表示装置を示す斜視図であり、図１（ａ）は表示パネルが支持部に支持されている状態を示す図、図１（ｂ）は表示パネルが支持部から取り外されている状態を示す図、図１（ｃ）は反射照明によって表示パネルに表示された画像を観察する様子を示す図である。
【００１６】
図１に示す本発明の実施の形態による表示装置１００は、画像が形成される表示パネル１０と、表示パネル部１０を支持する支持部である支持部２０と、この支持部２０に支持された表示パネル１０を背面側（図中矢印Ｈ１側）から照明するバックライト２１と、表示パネル１０に画像が形成されるように表示パネル１０を電気的に制御する表示制御部３０とを備えている。なお、バックライト２１は、支持部２０に支持されており、白色光を発する複数のランプ、蛍光灯あるいはＬＥＤ等からなるものとすることができる。
【００１７】
表示パネル１０は、この表示パネル１０に画像が形成されたままの状態で表示制御部３０から分離可能、かつ支持部２０から取り外し可能であり、この表示パネル１０が支持部２０から取り外されているときには表示パネル１０が反射照明されることにより上記画像が視認可能であり、この表示パネル１０が上記支持部２０に支持されているときには表示パネル１０がバックライト２１で透過照明されることにより上記画像が視認可能である。なお、上記画像は上記背面側とは反対の表示側（図中矢印Ｖ１側）に向けて表示される。
【００１８】
上記表示パネルに採用可能な、偏光原理を用いない表示方式（シャッタ方式ともいう）としては、エレクトロウエッティング方式（例えば、特開平９−３１１６４３号公報参照）、分散粒子回転方式（例えば、特開平０８−１９０３５１号公報参照）、電気浸透方式（例えば、特開昭６１−５９４９１号公報参照）、電気泳動方式（例えば、特開平０５−１７３１９３号公報参照）、トナー粒子方式（例えば、特開２００２−２３６４７１公報参照）、またはエレクトクロミック方式（ＥＣ）（例えば、特開平２００２−２８７１７２号公報参照）等を挙げることができる。
【００１９】
コンピュータ５０から伝播された画像信号は、表示装置１００の表示制御部３０に入力し、表示制御部３０は上記入力した画像信号に基づいて、この画像信号が示す画像Ｇ１が表示パネル１０に形成されるように表示パネル１０を電気的に制御する。なお、表示制御部３０は、この表示制御部３０と表示パネル１０とを接続するケーブル３１を有しており、表示制御部３０による表示パネル１０の電気的な制御は上記ケーブル３１を介して実施される。
【００２０】
バックライト２１で照明されている表示パネル１０上には、表示制御部３０の制御により上記画像Ｇ１が形成される。ここで、表示パネル１０に形成された画像Ｇ１は透過照明によって観察することができる。
【００２１】
表示パネル１０を単独で使用するときには、図１（ｂ）に示すように、表示パネル１０を表示制御部３０から分離し支持部２０から取り外す。ここで、上記ケーブル３１は表示パネル１０から外され、表示制御部３０による電気的な制御から遮断された表示パネル１０に上記画像Ｇ１が表示されたままとなる。上記支持部２０から取り外された表示パネル１０上に残る上記画像Ｇ１は、反射照明によって視認可能であり、例えば、室内照明下において、表示パネル１０の背面側（図中矢印Ｈ２側）に別途用意した白紙５２等を配置することにより、表示パネル１０に形成されている上記画像Ｇ１の視認性を高めることができる。
【００２２】
図２は上記表示装置の表示パネルとして表示層と半透明白色層とを有する表示パネルを用いた表示装置を示す斜視図であり、図２（ａ）は表示パネルが支持部に支持されている状態を示す図、図２（ｂ）は表示パネルが支持部から取り外されているときに反射照明によって表示パネルに表示された画像を観察する様子を示す図である。なお、上記図１に示す表示装置と同様の機能を有する構成については同じ符号を使用し説明を省略する。
【００２３】
図２（ａ）に示すように、表示パネル１１は、画像が形成される表示層１２と、表示層１２のバックライト２１の側に配置された半透明白色層１３とを有するものである。このように構成することにより表示パネル１１を半透過型の表示パネルとして使用することができる。すなわち、照明が暗いときには、主にバックライト２１による透過照明によって画像が表示され、照明が明るいときには、主にこの明るい照明による反射照明（半透明白色層１３で反射された光による照明）によって画像が表示される。なお、半透明白色層１３は擦りガラス等によって構成することができる。
【００２４】
表示パネル１１を単独で使用するときには、図２（ｂ）に示すように、この表示パネル１１に画像Ｇ１が表示されたまま、表示パネル１１を表示制御部３０から分離し支持部２０から取り外す。上記支持部２０から取り外された表示パネル１１は反射型の表示パネルとして使用することができ、表示パネル１１上に形成された上記画像Ｇ１は、例えば、室内照明下において、表示パネル１０の背面側に白紙等を配置することなく観察することができる。
【００２５】
図３は上記表示装置の表示パネルとして表示層とこの表示層の表裏両面に配置された透明電極層とを有する表示パネルを用いた表示装置を示す斜視図であり、図３（ａ）は表示パネルが支持部で支持されている状態を示す図、図３（ｂ）は表示パネルが支持部から取り外されるとともに表示層と透明電極とが分離された様子を示す図、図３（ｃ）は反射照明によって表示パネルに表示された画像を観察する様子を示す図である。なお、上記図１に示す表示装置と同様の機能を有する構成については同じ符号を使用し説明を省略する。
【００２６】
図３（ａ）に示すように、表示パネル１５が、画像が形成される表示層１７と、表示層１７の表裏両面に配置された、透明電極が配設されている透明電極層１６ａ、１６ｂとを有し、透明電極層１６ａ、１６ｂを表示層１７から分離可能としたものである。このように構成することにより表示パネル１５が支持部２０に支持されているときには、表示パネル１５を透過型の表示パネルとして使用することができる。表示パネル１５を単独で使用するときには、図３（ｂ）に示すように、この表示パネル１５に画像Ｇ１が表示されたまま、表示パネル１５を表示制御部３０から分離し支持部２０から取り外すとともに、表示層１７を透明電極層１６ａ、１６ｂから分離する。上記透明電極層１６ａ、１６ｂから分離された表示層１７上に形成されている上記画像Ｇ１は、反射照明によって視認可能であり、例えば、室内照明下において、表示パネル１０の背面側（図中矢印Ｈ２側）に別途用意した白紙５２等を配置することにより、上記表示パネル１０に形成されている上記画像Ｇ１の視認性を高めることができる。
【００２７】
なお、表示層１７に透明電極層１６ａ、１６ｂが取り付けられている状態において表示パネル１５を表示制御部３０から分離し支持部２０から取り外し、この表示パネル１５に形成されている上記画像Ｇ１を反射照明により視認することも可能である。
【００２８】
次に、偏光原理を用いた液晶表示パネルと、上記偏光原理を用いないシャッタ方式の表示パネルとの違いについて説明する。図４は液晶表示パネルの主要な構成を示す図であり、図４（ａ）は透過型の液晶表示パネルの構成を示す図、図４（ｂ）は半透過型の液晶表示パネルの構成を示す図、図４（ｃ）は反射型の液晶表示パネルの構成を示す図である。
【００２９】
図４（ａ）に示すように、透過型の液晶表示パネル６０は、２枚の偏光板６１ａ、６１ｂの間に液晶６１ｃを挟み込んで作成した表示パネル６２をバックライト６３から発せられた照明光Ｌｂで透過照明するものである。
【００３０】
図４（ｂ）に示すように半透過型の液晶表示パネル６５は、偏光板６６ａとこの偏光板６６ａの側に半透過面６６ｃが形成されている偏光板６６ｂの間に液晶６６ｄを挟み込んで作成した表示パネル６７をバックライト６８から発せられた照明光Ｌｂで透過照明するものである。表示側（図中矢印Ｖ２で示す側）から入射する照明光Ｌａの強度がバックライト６８から発せられる照明光Ｌｂの強度に比して大きい場合には、主に照明光Ｌａが半透過面６６ｃで反射された光Ｌａ′によって液晶６６ｄに形成された画像が照明される。これに対して、上記表示側から入射する照明光Ｌａの強度がバックライト６８から発せられた照明光Ｌｂの強度に比して小さい場合には、主にバックライト６８から発せられた照明光Ｌｂによって液晶６６ｄに形成された画像が照明される。
【００３１】
図４（ｃ）に示すように反射型の液晶表示パネル７０は、反射ミラー７１、液晶層７２、１／４λ板７３、偏光板７４をこの順に積層して構成したものであり、液晶層７２、１／４λ板７３、偏光板７４が表示パネルを構成している。表示側（図中矢印Ｖ２で示す側）から入射した照明光Ｌａが反射ミラー７１で反射された光Ｌａ″によって液晶７２に形成された画像が照明される。なお、偏光方向を保存して偏光解消が成されるこの反射型の液晶表示パネル７０においては、反射ミラー７１を白紙等の白色光散乱板で代用することはできない。
【００３２】
上記のように、透過型、半透過型、反射型の液晶表示パネルには、液晶の他に、偏光板や位相差板や反射ミラーが使用されており、また、偏光板を通過する毎に光の光量は約５０％減衰するので光の利用効率が低い。さらに、液晶表示パネルに表示された画像をそのままの状態で維持するには液晶による偏光方向が変化しないように液晶表示パネルへの電気信号の入力を継続する必要がある。
【００３３】
図５はシャッタ方式の表示パネルの主要な構成を示す図であり、図５（ａ）は透過型のシャッタ方式表示パネルの構成を示す図、図５（ｂ）は半透過型のシャッタ方式表示パネルの構成を示す図、図５（ｃ）は反射型のシャッタ方式表示パネルの構成を示す図である。
【００３４】
図５（ａ）に示す透過型のシャッタ方式表示パネル８０は、シャッタ層である表示パネル８１の背面側にバックライト８２を配置しバックライト８２から発せられた光Ｌｂで表示パネル８１を透過照明するものである。
【００３５】
図５（ｂ）に示す半透過型のシャッタ方式表示パネル８３は、上記シャッタ層である表示パネル８４とバックライト８５の間に半透明白色板８６を配置したものであり、表示側（図中矢印Ｖ２で示す側）から入射する照明光Ｌａの強度がバックライト８５から発せられる照明光Ｌｂの強度に比して大きい場合には、主に照明光Ｌａが半透明白色板８６で反射された光Ｌａ′によって表示パネル８４に形成された画像が照明される。これに対して、上記表示側から入射する照明光Ｌａの強度がバックライト８５から発せられた照明光Ｌｂの強度に比して小さい場合には、主にバックライト８５から発せられた照明光Ｌｂによって表示パネル８４に形成された画像が照明される。
【００３６】
図５（ｃ）に示す反射型のシャッタ方式表示パネル８７は、シャッタ層である表示パネル８８の背面側に白色光散乱板８９を配置したものである。表示側（図中矢印Ｖ２で示す側）から入射した照明光Ｌａが白色光散乱板８９で反射された光Ｌａ″によって表示パネル８８に形成された画像が照明される。
【００３７】
このように、偏光原理を用いない光シャッタ方式の表示パネルは、透過型、半透過型、反射型において主要な構成を共通化することができ、光の利用効率も高い。上記シャッタ層は、上記エレクトロウエッティング方式、分散粒子回転方式、電気浸透方式、電気泳動方式、トナー粒子方式、またはエレクトクロミック方式（ＥＣ）等を採用して構成することができ、そのような場合には、画像を形成するための電気信号の入力を遮断しても表示パネルに表示された画像をそのままの状態で維持することができる。
【図面の簡単な説明】
【００３８】
【図１】本発明の実施の形態の表示装置の概略構成を示す斜視図
【図２】表示層と半透明白色層とを有する表示パネルを用いた表示装置を示す斜視図
【図３】表示層と透明電極層とを有する表示パネルを用いた表示装置を示す斜視図
【図４】液晶表示パネルの主要な構成を示す図
【図５】シャッタ方式表示パネルの主要な構成を示す図
【符号の説明】
【００３９】
１０    表示パネル
２０    バックライト
３０    表示制御部
５０    コンピュータ
５２    白紙
１００    表示装置
【図１】
2005115053.tif 000003
【図２】
2005115053.tif 000004
【図３】
2005115053.tif 000005
【図４】
2005115053.tif 000006
【図５】
2005115053.tif 000007